(57)【要約】【課題】必要最小限の情報を効率的に提示することが可能な表示制御装置、プログラム、表示システム、表示制御方法及び表示データを提供する。【解決手段】表示制御装置１は、文章を解析して、文章の特徴を示す複数の特徴語を抽出する特徴語抽出部２０と、文章をディスプレイ４に表示させる文章出力部１４と、特徴語抽出部２０により抽出した複数の特徴語を時間の経過と共に順番に強調してディスプレイ４に表示させる強調出力部１５と、を備える。【選択図】図１
2019105751.tif 000002
【特許請求の範囲】
【請求項１】
文章を解析して、前記文章の特徴を示す複数の特徴語を抽出する特徴語抽出手段と、
前記文章を、表示装置に表示させる文章表示手段と、
前記特徴語抽出手段により抽出した前記複数の特徴語を時間の経過と共に順番に強調して前記表示装置に表示させる強調表示手段と、
を備える表示制御装置。
【請求項２】
請求項１に記載の表示制御装置において、
前記特徴語抽出手段は、前記文章を形態素解析して得られた単語ごとに重み付けをし、前記単語の重要度に応じて前記特徴語を抽出すること、
を特徴とする表示制御装置。
【請求項３】
請求項１又は請求項２に記載の表示制御装置において、
撮影装置の撮影画像から前記表示装置の方向を向いているユーザの存在を判断するユーザ判断手段を備え、
前記文章表示手段は、前記ユーザ判断手段により前記ユーザの存在を判断したことに応じて、前記文章を前記表示装置に表示させること、
を特徴とする表示制御装置。
【請求項４】
請求項３に記載の表示制御装置において、
前記ユーザの視線方向を判断する視線判断手段と、
前記視線判断手段により判断した前記視線方向から、前記ユーザが見ている前記表示装置の表示位置を特定する位置特定手段と、
を備え、
前記強調表示手段は、前記位置特定手段により特定された前記表示位置の近傍に有する前記特徴語を最初に強調させ、時間の経過と共に順番に前記複数の特徴語を強調して表示させること、
を特徴とする表示制御装置。
【請求項５】
請求項１又は請求項２に記載の表示制御装置において、
撮影装置の撮影画像から前記表示装置の方向を向いているユーザの存在を判断するユーザ判断手段を備え、
前記強調表示手段は、前記ユーザ判断手段により前記ユーザの存在を判断したことに応じて、前記複数の特徴語を時間の経過と共に順番に強調して表示させること、
を特徴とする表示制御装置。
【請求項６】
請求項１から請求項５までのいずれかに記載の表示制御装置において、
前記強調表示手段は、前記特徴語を時間の経過と共に順番に強調して表示させる速度を、時間の経過と共に遅く変化させること、
を特徴とする表示制御装置。
【請求項７】
請求項１から請求項６までのいずれかに記載の表示制御装置において、
前記強調表示手段は、前記特徴語の文字数及び前記特徴語に含まれる各文字の構成のうち少なくとも一方に応じて、強調して表示させる時間の長さを決定し、決定した長さの時間、前記特徴語を強調して表示させること、
を特徴とする表示制御装置。
【請求項８】
請求項１から請求項７までのいずれかに記載の表示制御装置において、
前記文章に対応付けられた前記複数の特徴語から１以上の特徴語にまとめた複数の語群を生成する語群生成手段を備え、
前記強調表示手段は、前記複数の特徴語を時間の経過と共に順番に強調することに代えて、前記文章のうち前記語群を、時間の経過と共に順番に強調して表示させること、
を特徴とする表示制御装置。
【請求項９】
請求項１から請求項８までのいずれかに記載の表示制御装置において、
前記特徴語抽出手段により抽出された前記複数の特徴語を、前記文章に対応付けて特徴語記憶部に記憶させる登録手段を備えること、
を特徴とする表示制御装置。
【請求項１０】
請求項１から請求項９までのいずれかに記載の表示制御装置としてコンピュータを機能させるためのプログラム。
【請求項１１】
請求項１から請求項９までのいずれかに記載の表示制御装置と、
前記表示制御装置に対して通信可能に接続され、前記文章を表示させる表示装置と、
を備える表示システム。
【請求項１２】
特徴語抽出手段が、文章を解析して、前記文章の特徴を示す複数の特徴語を抽出するステップと、
文章表示手段が、表示装置に文章を表示させるステップと、
強調表示手段が、前記特徴語抽出手段により抽出した前記複数の特徴語を時間の経過と共に順番に強調して前記表示装置に表示させるステップと、
を含む表示制御方法。
【請求項１３】
文章のデータと、
前記文章の特徴を示す複数の特徴語を強調表示させるデータである強調データと、
を備えた表示データ。
【請求項１４】
請求項１３に記載の表示データにおいて、
前記強調データは、時間の経過と共に前記複数の特徴語を順番に強調表示させるものである、
表示データ。
【発明の詳細な説明】
【技術分野】
【０００１】
本発明は、表示制御装置、プログラム、表示システム、表示制御方法及び表示データに関する。
【背景技術】
【０００２】
昨今、例えば、駅構内や街中における広告では、デジタルサイネージ等によるデジタル画像や映像を用いたものが主流になってきている。
そのような広告等は、立ち止まることなく通行人が歩きながら目を向けることが多く、通行人が実際に広告等を見ている時間が少ないと考えられる。そのため、必要最小限の情報を効率的に提示することが望まれる。
ところで、教育の分野において、リスニングの能力を向上させるために、文章内の重要語句を強調した音声を再生する学習支援装置が開示されている（例えば、特許文献１）。
【先行技術文献】
【特許文献】
【０００３】
【特許文献１】特開２０１７−００９８７２号公報
【発明の概要】
【発明が解決しようとする課題】
【０００４】
特許文献１に記載のものは、音声による再生であるため、文章を順番に再生し、かつ、そのうちの重要語句に対しては、強調して再生するものであった。しかし、デジタル画像や映像のような表示は、一度に文章全体を表示させることができるため、必要最小限の情報を効率的に提示するには更なる工夫が必要である。
【０００５】
そこで、本発明は、必要最小限の情報を効率的に提示することが可能な表示制御装置、プログラム、表示システム、表示制御方法及び表示データを提供することを目的とする。
【課題を解決するための手段】
【０００６】
本発明は、以下のような解決手段により、前記課題を解決する。
第１の発明は、文章を解析して、前記文章の特徴を示す複数の特徴語を抽出する特徴語抽出手段と、前記文章を、表示装置に表示させる文章表示手段と、前記特徴語抽出手段により抽出した前記複数の特徴語を時間の経過と共に順番に強調して前記表示装置に表示させる強調表示手段と、を備える表示制御装置である。
第２の発明は、第１の発明の表示制御装置において、前記特徴語抽出手段は、前記文章を形態素解析して得られた単語ごとに重み付けをし、前記単語の重要度に応じて前記特徴語を抽出すること、を特徴とする表示制御装置である。
第３の発明は、第１の発明又は第２の発明の表示制御装置において、撮影装置の撮影画像から前記表示装置の方向を向いているユーザの存在を判断するユーザ判断手段を備え、前記文章表示手段は、前記ユーザ判断手段により前記ユーザの存在を判断したことに応じて、前記文章を前記表示装置に表示させること、を特徴とする表示制御装置である。
第４の発明は、第３の発明の表示制御装置において、前記ユーザの視線方向を判断する視線判断手段と、前記視線判断手段により判断した前記視線方向から、前記ユーザが見ている前記表示装置の表示位置を特定する位置特定手段と、を備え、前記強調表示手段は、前記位置特定手段により特定された前記表示位置の近傍に有する前記特徴語を最初に強調させ、時間の経過と共に順番に前記複数の特徴語を強調して表示させること、を特徴とする表示制御装置である。
第５の発明は、第１の発明又は第２の発明の表示制御装置において、撮影装置の撮影画像から前記表示装置の方向を向いているユーザの存在を判断するユーザ判断手段を備え、前記強調表示手段は、前記ユーザ判断手段により前記ユーザの存在を判断したことに応じて、前記複数の特徴語を時間の経過と共に順番に強調して表示させること、を特徴とする表示制御装置である。
第６の発明は、第１の発明から第５の発明までのいずれかの表示制御装置において、前記強調表示手段は、前記特徴語を時間の経過と共に順番に強調して表示させる速度を、時間の経過と共に遅く変化させること、を特徴とする表示制御装置である。
第７の発明は、第１の発明から第６の発明までのいずれかの表示制御装置において、前記強調表示手段は、前記特徴語の文字数及び前記特徴語に含まれる各文字の構成のうち少なくとも一方に応じて、強調して表示させる時間の長さを決定し、決定した長さの時間、前記特徴語を強調して表示させること、を特徴とする表示制御装置である。
第８の発明は、第１の発明から第７の発明までのいずれかの表示制御装置において、前記文章に対応付けられた前記複数の特徴語から１以上の特徴語にまとめた複数の語群を生成する語群生成手段を備え、前記強調表示手段は、前記複数の特徴語を時間の経過と共に順番に強調することに代えて、前記文章のうち前記語群を、時間の経過と共に順番に強調して表示させること、を特徴とする表示制御装置である。
第９の発明は、第１の発明から第８の発明までのいずれかの表示制御装置において、前記特徴語抽出手段により抽出された前記複数の特徴語を、前記文章に対応付けて特徴語記憶部に記憶させる登録手段を備えること、を特徴とする表示制御装置である。
第１０の発明は、第１の発明から第９の発明までのいずれかの表示制御装置としてコンピュータを機能させるためのプログラムである。
第１１の発明は、第１の発明から第９の発明までのいずれかの表示制御装置と、前記表示制御装置に対して通信可能に接続され、前記文章を表示させる表示装置と、を備える表示システムである。
第１２の発明は、特徴語抽出手段が、文章を解析して、前記文章の特徴を示す複数の特徴語を抽出するステップと、文章表示手段が、表示装置に文章を表示させるステップと、強調表示手段が、前記特徴語抽出手段により抽出した前記複数の特徴語を時間の経過と共に順番に強調して前記表示装置に表示させるステップと、を含む表示制御方法である。
第１３の発明は、文章のデータと、前記文章の特徴を示す複数の特徴語を強調表示させるデータである強調データと、を備えた表示データである。
第１４の発明は、第１３の発明の表示データにおいて、前記強調データは、時間の経過と共に前記複数の特徴語を順番に強調表示させるものである、表示データである。
【発明の効果】
【０００７】
本発明によれば、必要最小限の情報を効率的に提示することが可能な表示制御装置、プログラム、表示システム、表示制御方法及び表示データを提供することができる。
【図面の簡単な説明】
【０００８】
【図１】本実施形態に係る表示システムの全体概要図である。
【図２】本実施形態に係る表示システムの機能ブロック図である。
【図３】本実施形態に係る表示制御装置の記憶部の例を示す図である。
【図４】本実施形態に係る表示制御装置の表示処理を示すフローチャートである。
【図５】本実施形態に係る表示制御装置による表示処理の具体例を示す図である。
【図６】本実施形態に係る表示制御装置の文章処理を示すフローチャートである。
【発明を実施するための形態】
【０００９】
以下、本発明を実施するための形態について、図を参照しながら説明する。なお、これは、あくまでも一例であって、本発明の技術的範囲はこれに限られるものではない。
（実施形態）
＜表示システム１００＞
図１は、本実施形態に係る表示システム１００の全体概要図である。
図２は、本実施形態に係る表示システム１００の機能ブロック図である。
図３は、本実施形態に係る表示制御装置１の記憶部３０の例を示す図である。
【００１０】
図１に示す表示システム１００は、例えば、駅構内に設けられたディスプレイ４（表示装置）に文章を表示させ、文章内の必要最小限の情報を、効率的に提示するためのシステムである。
図２に示すように、表示システム１００は、表示制御装置１と、ディスプレイ４と、カメラ５（撮影装置）とを備える。表示制御装置１と、ディスプレイ４と、カメラ５とは、通信ネットワークＮを介して通信可能に接続されている。通信ネットワークＮは、例えば、インターネット回線等である。また、通信ネットワークＮは、例えば、Ｂｌｕｅｔｏｏｔｈ（登録商標）規格に基づく短距離無線通信等を用いるものであってもよい。
【００１１】
＜表示制御装置１＞
表示制御装置１は、ディスプレイ４に表示させる文章に関する処理を行う。表示制御装置１は、文章の特徴を示す特徴語を抽出しておき、文章をディスプレイ４に表示させる際に、特徴語を順番に強調して表示させる。
ここで、特徴語とは、文章内の語のうち、文章の内容を理解するために必要な重要語をいう。
表示制御装置１は、例えば、サーバである。表示制御装置１は、その他、パーソナルコンピュータ（ＰＣ）等であってもよい。
表示制御装置１は、制御部１０と、記憶部３０と、通信インタフェース部３９とを備える。
【００１２】
制御部１０は、表示制御装置１の全体を制御する中央処理装置（ＣＰＵ）である。制御部１０は、記憶部３０に記憶されているオペレーティングシステム（ＯＳ）やアプリケーションプログラムを適宜読み出して実行することにより、上述したハードウェアと協働し、各種機能を実行する。
制御部１０は、表示処理部１１と、文章処理部１８とを備える。
表示処理部１１は、文章をディスプレイ４に表示させるための処理を行う制御部である。
表示処理部１１は、ユーザ判断部１２（ユーザ判断手段）と、視線判断部１３（視線判断手段）と、文章出力部１４（文章表示手段）と、強調出力部１５（強調表示手段）とを備える。
【００１３】
ユーザ判断部１２は、カメラ５から取得した撮影データの画像を分析して、ユーザ（人）の存在を判断する。
視線判断部１３は、ユーザ判断部１２がユーザの存在を判断した場合に、そのユーザの視線方向を判断する。ここで、視線判断部１３は、ユーザ判断部１２が複数のユーザの存在を判断した場合には、各ユーザの視線方向を判断してもよいし、ディスプレイ４に最も近いユーザの視線方向を判断してもよい。また、視線判断部１３は、ディスプレイ４から近い距離の範囲（例えば、５ｍ以内等）にいるユーザの視線方向を判断してもよい。
文章出力部１４は、視線判断部１３によりユーザの視線方向が、ディスプレイ４の方向を向いている場合に、ディスプレイ４に文章データ（文章のデータ）を出力し、ディスプレイ４に文章を表示させる。
強調出力部１５は、文章出力部１４により文章データが出力された場合に、ディスプレイ４に特徴語を強調した強調データを出力し、文章中の特徴語を順番に強調してディスプレイ４に表示させる。
【００１４】
文章処理部１８は、表示処理部１１が表示処理をする文章の前処理を行うものであり、文章を解析して特徴語を抽出する処理を行う制御部である。
文章処理部１８は、文章解析部１９と、特徴語抽出部２０（特徴語抽出手段）と、特徴語登録部２１（登録手段）とを備える。
文章解析部１９は、処理対象の文章から複数の単語を抽出する。具体的には、文章解析部１９は、例えば、文章に対して形態素解析を行うことによって、文章から複数の単語を抽出する。
【００１５】
特徴語抽出部２０は、文章解析部１９によって抽出された単語から、特徴語を抽出する。具体的には、特徴語抽出部２０は、文章解析部１９によって抽出された複数の単語ごとに重み付けをし、重要度に応じて抽出した単語を、特徴語にする。
語に対する重み付けとしては、例えば、語の品詞による重み付けや、他の文章との弁別性を用いた重み付け等がある。語の品詞による重み付けであれば、例えば、特徴をより表す品詞である名詞の重み付けを最も高く設定し、次に動詞の重み付けを高く設定する、等のルールを予め決めておき、そのルールに則って語に対して重み付けを付与する。ルールは、経験則から決められたものであってよく、例えば、名詞でも、固有名詞の重み付けをさらに高く設定したりしてもよい。また、他の文章との弁別性を用いた重み付けであれば、例えば、Ｗｅｂ上の様々な文章を分析して抽出した単語との相対出現頻度であるＩＤＦ（Ｉｎｖｅｒｓｅ  Ｄｏｃｕｍｅｎｔ  Ｆｒｅｑｕｅｎｃｙ）を算出し、算出したスコアにより語に対して重み付けを付与する。
特徴語登録部２１は、特徴語抽出部２０により抽出した特徴語を、文章に対応付けて特徴語記憶部３３に記憶させる。
【００１６】
記憶部３０は、制御部１０が各種の処理を実行するために必要なプログラム、データ等を記憶するためのハードディスク、半導体メモリ素子等の記憶領域である。
記憶部３０は、プログラム記憶部３１と、文章記憶部３２と、特徴語記憶部３３とを備える。
プログラム記憶部３１は、各種のプログラムを記憶する記憶領域である。プログラム記憶部３１は、表示制御プログラム３１ａを記憶している。表示制御プログラム３１ａは、表示制御装置１の制御部１０が実行する各種機能を行うためのプログラムである。
【００１７】
文章記憶部３２は、ディスプレイ４に表示させる文章データを記憶する記憶領域である。文章記憶部３２は、文章データのみならず、文章データの内容を表す絵や画像のデータを、文章データに関連付けて記憶してもよい。そして、制御部１０は、文章データを出力する際に、関連する画像データ等をあわせて出力してもよい。
図３（Ａ）は、文章記憶部３２の項目例を示す。文章記憶部３２は、文章ＩＤと、文章データとを対応付けて記憶する。文章ＩＤは、文章を識別するための識別情報である。文章データは、例えば、テキストデータである。
特徴語記憶部３３は、図３（Ｂ）に示すように、文章ＩＤに対応付けてその文章の特徴語を記憶する記憶領域である。特徴語は、１つの文章に対して複数有するものであってよい。また、特徴語記憶部３３は、特徴語に対応付けて特徴語の文章内での位置情報を有してもよい。
【００１８】
図２（Ａ）に戻り、通信インタフェース部３９は、通信ネットワークＮを介してディスプレイ４及びカメラ５との間の通信を行うためのインタフェースである。
ここで、コンピュータとは、制御部、記憶装置等を備えた情報処理装置をいい、表示制御装置１は、制御部、記憶部等を備えた情報処理装置であり、コンピュータの概念に含まれる。
【００１９】
＜ディスプレイ４＞
ディスプレイ４は、例えば、駅構内の壁や柱等に設けられ、縦が１〜２ｍ程度で、横幅が６０〜９０ｃｍ程度の液晶ディスプレイ等のモニタである。ディスプレイ４は、表示制御装置１から受信した文章データ等を表示する。
【００２０】
＜カメラ５＞
カメラ５は、例えば、ディスプレイ４の上部等に設けられ、ディスプレイ４に対面する位置を撮影する。カメラ５は、ディスプレイ４の近傍にいるユーザ等を撮影するためのものであればよく、設置位置は、ディスプレイ４の上部に限らない。そして、カメラ５は、撮影データを、表示制御装置１に送信する。
【００２１】
＜表示処理＞
次に、表示制御装置１での処理について説明する。
図４は、本実施形態に係る表示制御装置１の表示処理を示すフローチャートである。
図５は、本実施形態に係る表示制御装置１による表示処理の具体例を示す図である。
【００２２】
この表示処理の前提として、表示制御装置１の制御部１０は、常に又は定期的（例えば、１０秒おき等）に、カメラ５から撮影データを受信している。
図４のステップＳ（以下、単に「Ｓ」という。）１０において、表示制御装置１の制御部１０（ユーザ判断部１２）は、撮影データの画像からユーザの存在を確認する。具体的には、制御部１０は、撮影データの画像を分析し、例えば、人検出や、顔検出等の公知な方法を用いて、画像から人（対象者）を検出する処理を行う。
【００２３】
人検出の手法としては、例えば、ＨＯＧ特徴量を用いるものがある。ＨＯＧ特徴量を用いた人検出に関しては、「Ｎ．  Ｄａｌａｌ  ａｎｄ  Ｂ．Ｔｒｉｇｇｓ．  Ｈｉｓｔｏｇｒａｍｓ  ｏｆ  Ｏｒｉｅｎｔｅｄ  Ｇｒａｄｉｅｎｔｓ  ｆｏｒ  Ｈｕｍａｎ  Ｄｅｔｅｃｔｉｏｎ．  Ｉｎ  ＣＶＰＲ，  ｐａｇｅｓ  ８８６−８９３，  ２００５」に記載されている。
また、顔検出の手法としては、例えば、Ｈａａｒ−ｌｉｋｅ特徴を用いるものがある。Ｈａａｒ−ｌｉｋｅ特徴を用いた顔検出に関しては、「Ｐ．  Ｖｉｏｌａ  ａｎｄ  Ｍ．  Ｊ．  Ｊｏｎｅｓ：  “Ｒａｐｉｄ  Ｏｂｊｅｃｔ  Ｄｅｔｅｃｔｉｏｎ  Ｕｓｉｎｇ  ａ  Ｂｏｏｓｔｅｄ  Ｃａｓｃａｄｅ  ｏｆ  Ｓｉｍｐｌｅ  Ｆｅａｔｕｒｅｓ”，Ｐｒｏｃｅｅｄｉｎｇｓ  ｏｆ  ｔｈｅ  ２００１  ＩＥＥＥ  Ｃｏｍｐｕｔｅｒ  Ｓｏｃｉｅｔｙ  Ｃｏｎｆｅｒｅｎｃｅ  ｏｎ  Ｃｏｍｐｕｔｅｒ  Ｖｉｓｉｏｎ  ａｎｄ  Ｐａｔｔｅｒｎ  Ｒｅｃｏｇｎｉｔｉｏｎ，  ｐｐ．５１１−５１８，  （２００１）．」に記載されている。
【００２４】
Ｓ１１において、制御部１０（ユーザ判断部１２）は、撮影データにユーザがいるか否か、つまり、ユーザを検出する処理によって撮影データにユーザを含むか否かを判断する。ユーザを含む場合（Ｓ１１：ＹＥＳ）には、制御部１０は、処理をＳ１２に移す。他方、ユーザを含まない場合（Ｓ１１：ＮＯ）には、制御部１０は、処理をＳ１０に移す。ユーザがいない場合には、ユーザを検出するまで、常に又は定期的に受信する撮影データの画像から人検出を行う処理を繰り返す。
Ｓ１２において、制御部１０（視線判断部１３）は、ユーザの視線方向を確認する。具体的には、制御部１０は、画像から顔画像を検出し、顔の各パーツ（器官）の配置位置に基づいて、顔の向きを判別する。そして、制御部１０は、判別した顔の向きをユーザの見ている方向とする。顔の各器官（目、鼻、口等）の位置を求める手法としては、様々な公知の手法があるが、例えば、回帰モデルを用いた顔の器官検出手法を用いることができる。そして、回帰モデルを用いた顔の器官検出手法に関しては、例えば、米国特許出願公開第２０１４／０１８５９２４号明細書に記載されている。
【００２５】
Ｓ１３において、制御部１０（視線判断部１３）は、ユーザがディスプレイ４の方向を向いているか否かを判断する。この例では、ディスプレイ４の上方に設置されたカメラ５が撮影した画像に基づく処理であるため、制御部１０は、顔の器官が正面に向いている場合に、ユーザがディスプレイ４の方向を向いている場合と判断できる。ユーザがディスプレイ４の方向を向いている場合（Ｓ１３：ＹＥＳ）には、制御部１０は、処理をＳ１４に移す。他方、ユーザがディスプレイ４の方向を向いていない場合（Ｓ１３：ＮＯ）には、制御部１０は、処理をＳ１０に移す。
なお、この処理において、制御部１０は、ユーザがディスプレイ４の方向を向いていると判断しても、ユーザとディスプレイ４との距離に応じて、本処理としてはＮＯと判断してもよい。あまり遠くにいるユーザでは、ディスプレイ４に表示される文章をよく見ることができないからである。
【００２６】
Ｓ１４において、制御部１０（文章出力部１４）は、文章データをディスプレイ４に出力する。ディスプレイ４に出力する文章データは、例えば、予め決められている。
Ｓ１５において、制御部１０（強調出力部１５）は、出力した文章データに対応した特徴語を、特徴語記憶部３３から抽出し、所定の特徴語を強調した強調データを、ディスプレイ４に出力する。ここで、所定の特徴語とは、文章内で最初に出現する特徴語をいう。
【００２７】
Ｓ１６において、制御部１０は、強調データを出力後、切替時間（例えば、１秒等）が経過したか否かを判断する。切替時間とは、特徴語を次の特徴語に切り替えるための時間をいう。切替時間が経過した場合（Ｓ１６：ＹＥＳ）には、制御部１０は、処理をＳ１７に移す。他方、切替時間が経過していない場合（Ｓ１６：ＮＯ）には、制御部１０は、本処理に留まる。
Ｓ１７において、制御部１０（ユーザ判断部１２、視線判断部１３）は、まだユーザがディスプレイ４の方向を向いているか否かを判断する。ユーザがディスプレイ４の方向を向いたままである場合（Ｓ１７：ＹＥＳ）には、制御部１０は、処理をＳ１８に移す。他方、ユーザがディスプレイ４の方向を向いていない場合（Ｓ１７：ＮＯ）には、制御部１０は、処理をＳ２０に移す。
【００２８】
Ｓ１８において、制御部１０（強調出力部１５）は、文章内で次に出現する特徴語を強調した強調データを、ディスプレイ４に出力する。その後、制御部１０は、処理をＳ１６に移し、強調データをディスプレイ４に順番に出力する処理を繰り返す。
図５は、文章中の特徴語を強調する処理に関する具体例を示す。
まず、制御部１０は、文章データをディスプレイ４に出力することで、ディスプレイ４には、文章６０が表示される。この例の文章６０は、強調表示を説明するための例示であり、実際にディスプレイ４に表示されるものは、ニュース記事や広告の文章である。
【００２９】
時間Ｔ１において、文章６０には、特徴語を示す強調表示領域６１ａが、ハイライト表示及び異なる文字色によって強調表示されている。ここで、時間Ｔ１は、ディスプレイ４に文章６０が表示されたと同時であってもよいし、少しの時間（例えば、数秒程度）が経過した後であってもよい。
次に、時間Ｔ２において、強調表示する特徴語が切り替えられ、強調表示領域６１ａの強調表示が解除され、強調表示領域６１ａに代わり次の特徴語を示す強調表示領域６１ｂが強調表示される。
さらに、時間Ｔ３において、強調表示する特徴語がさらに切り替えられ、強調表示領域６１ｂの強調表示が解除され、強調表示領域６１ｂに代わり次の特徴語を示す強調表示領域６１ｃが強調表示される。
【００３０】
このように、表示制御装置１は、時間の経過と共に、特徴語を順番に切り替えて強調してディスプレイ４に表示させることができる。
なお、制御部１０は、強調表示をする時間である切替時間を、時間の経過と共に長くするようにしてもよい。また、制御部１０は、文章内の特徴語を順番に強調表示し、文章内の最後の特徴語を強調表示した後、文章内の最初の特徴語に戻って強調表示するときに、切替時間を、その前に強調表示した時間よりも長くするようにしてもよい。
【００３１】
他方、Ｓ２０において、制御部１０は、文章非表示処理を行う。具体的には、制御部１０は、ディスプレイ４に対して出力した文章データ及び強調データを表示しないように制御する。その後、制御部１０は、処理をＳ１０に移す。
なお、文章非表示処理として、制御部１０は、文章内の最後の特徴語を強調表示するまで文章を表示させた後に、ディスプレイ４に対して出力した文章データ及び強調データを表示しないように制御してもよい。
【００３２】
このように、表示制御装置１は、文章の特徴語を、時間の経過と共に順番に切り替えて強調表示する。よって、文章内の必要最小限の情報を、特徴語を強調表示することで効率的に提示することができる。
また、表示制御装置１は、時間の経過と共に、各特徴語を強調表示させる時間を長くする。そのようにすることで、最初は、強調表示が順番に移動することによって、ユーザのディスプレイ４に対して注目を集めさせると共に、その後は、必要最小限の情報を効率的かつ見やすいように提示することができる。
【００３３】
＜文章処理＞
次に、文章から特徴語を抽出する処理について説明する。
図６は、本実施形態に係る表示制御装置１の文章処理を示すフローチャートである。
Ｓ３０において、表示制御装置１の制御部１０（文章処理部１８）は、文章データを受け付ける。制御部１０は、文章データを、例えば、図示しない表示制御装置１の入力部を介して受け付けてもよいし、文章データを記録した記録媒体から読み取ってもよい。また、制御部１０は、例えば、通信インタフェース部３９を介して他の外部装置から文章データを受信してもよい。
【００３４】
Ｓ３１において、制御部１０（文章処理部１８）は、受け付けた文章データを、文章記憶部３２に記憶させる。その際、制御部１０は、一意になるように文章ＩＤを決定して、決定した文章ＩＤを文章データに対応付けて記憶する。
Ｓ３２において、制御部１０（文章解析部１９）は、文章データを形態素解析する。そして、制御部１０は、形態素解析の結果として語を抽出する。
Ｓ３３において、制御部１０（特徴語抽出部２０）は、抽出した語に重み付けを付与する。制御部１０は、例えば、語の品詞に応じて、重み付けをする。
【００３５】
Ｓ３４において、制御部１０（特徴語抽出部２０）は、重み付けが、例えば、一定以上のものや、重み付けが上位のものを、重要語として、重要度に応じた特徴語を抽出する。
Ｓ３５において、制御部１０（特徴語登録部２１）は、Ｓ３４にて抽出した特徴語を、特徴語記憶部３３に記憶させる。具体的には、制御部１０は、文章ＩＤに対応付けて、特徴語を記憶する。なお、制御部１０は、特徴語の文章内における位置情報（最初から何文字目等）を含めて、特徴語を特徴語記憶部３３に記憶させてもよい。その後、制御部１０は、本処理を終了する。
【００３６】
このように、本実施形態の表示システム１００によれば、以下のような効果がある。
（１）表示制御装置１によって、ディスプレイ４に文章を表示させる際、文章の特徴語を強調して順番に表示させるので、人の視線を、特徴語に注視させることができる。その結果、強調表示をした特徴語によって、必要最小限の情報を効率的に提示することができる。
（２）表示制御装置１は、文章の特徴語を、文章を分析して得るため、特徴語は、文章の内容を示す語になり得る。よって、表示制御装置１は、ユーザに全ての文章を読ませずとも、特徴語によって文章の内容が理解できるものを抽出できる。
【００３７】
（３）表示制御装置１は、特徴語を強調表示する速度を、時間の経過と共に遅くするので、時間の経過と共に、より内容を理解しやすい程度の速さで強調表示ができる。
（４）カメラ５を、ディスプレイ４の近傍に設けることで、ユーザがディスプレイ４の方向を見ているか否かを確認しやすいものにできる。
【００３８】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３９】
（変形形態）
（１）本実施形態では、ディスプレイとカメラとは、通信ネットワークを介して接続されているものとして説明したが、これに限定されない。例えば、表示制御装置がディスプレイとカメラとの少なくとも一方を備える装置であってもよい。
（２）本実施形態では、ユーザの視線が表示装置の方向である場合に、ディスプレイに文章を表示し、所定の特徴語として、文章に出現する順番に、特徴語を強調表示するものを例に説明したが、これに限定されない。ユーザの視線がディスプレイのどこの位置であるかを判断し、判断した位置の近傍に表示されている特徴語を、最初に強調表示するものであってもよい。そのようにすることで、ユーザは、強調出力部分を自然に見ることができる。さらに、ユーザの視線が強調表示されている位置に向いたら、強調表示の位置を、文章に出現する順番に、次の特徴語に移すようにしてもよい。そのようにすることで、確実にユーザに強調表示を見させることができる。
【００４０】
（３）本実施形態では、形態素解析を用いて文章を分析し、特徴語を抽出するものを例に説明したが、これに限定されない。他の手法によって文章を分析し、特徴語を抽出してもよく、例えば、意味解析の手法を用いて文章を分析し、特徴語を抽出するものであってもよい。
（４）本実施形態では、１つの特徴語を強調表示する時間について、一律のものを例に説明したが、これに限定されない。特徴語の文字数や各文字の構成（例えば、ひらがな、漢字等であり、漢字であれば、画数を含む。）に応じた時間で強調表示するようにしてもよい。また、１つの特徴語を強調表示する時間は、経験則に基づくものであってもよい。その場合には、特徴語記憶部は、特徴語に対応付けて時間係数を記憶し、制御部は、時間係数に基づいて特徴語を強調表示する時間を決めればよい。
【００４１】
（５）本実施形態では、ユーザの視線がディスプレイの方向を向いていると判断した場合に、ディスプレイに文章を表示するものを例に説明したが、これに限定されない。予め文章がディスプレイに表示された状態であってもよい。そして、予め文章がディスプレイに表示されている場合に、強調表示を行っていてもよい。その場合には、強調表示をする速度は、比較的早いものである方が、通りすがりのユーザが注目しやすいため好ましい。
（６）本実施形態では、ユーザの視線がディスプレイの方向を向いていると判断した場合に、どのようなユーザであっても同じように文章を表示するものを例に説明したが、これに限定されない。例えば、撮影データからユーザの属性（例えば、性別、年齢）を取得し、ユーザの属性に応じて、文章を属性に合ったものにしたり、特徴語を強調表示する際の最初の速度を変えたりしてもよい。
【００４２】
（７）本実施形態では、特徴語の強調表示として、特徴語の文字色及び特徴語のハイライト色によって強調するものを例に説明したが、これに限定されない。例えば、特徴語の文字の大きさを大きくしたり、太字にしたりするものであってもよい。また、文章全体に対する色の濃淡であってもよく、例えば、最初は、強調文字以外の文章を薄い色で表示し、時間の経過と共に、文章の色を濃い色に変化させるものであってもよい。同様に、最初は、強調文字以外の文章をぼかして表示し、時間の経過と共に、ぼかし度合を低くして文章が読めるようにしてもよい。
（８）本実施形態では、特徴語を１つずつ順番に強調表示するものを例に説明したが、これに限定されない。２以上の特徴語をまとめた語群を強調表示してもよい。その場合であっても、時間の経過と共に、語群を順番に強調表示する。そのようにすることで、意味内容が分かる程度のまとまりを１回で強調表示させることができ、ユーザの理解を深めることができる。
【００４３】
（９）本実施形態では、駅構内に設けられたディスプレイに文章を表示するものを例に説明したが、これに限定されない。聴衆が見るディスプレイとして、例えば、電車内のディスプレイであってもよいし、街中のディスプレイであってもよい。さらに、聴衆が見るディスプレイに限らず、ユーザの端末等であってもよい。
（１０）本実施形態では、文章記憶部と、特徴語記憶部とを備えるものを例に説明したが、これに限定されない。文章データと、特徴語とを対応付けて、１つの記憶部に記憶させてもよい。また、文章データと、特徴語とのうち少なくとも一方を、通信ネットワークを介して接続可能な外部装置に備えてもよい。さらに、文章データを記憶するだけであってもよい。
【符号の説明】
【００４４】
１    表示制御装置
４    ディスプレイ
５    カメラ
１０  制御部
１１  表示処理部
１２  ユーザ判断部
１３  視線判断部
１４  文章出力部
１５  強調出力部
１８  文章処理部
１９  文章解析部
２０  特徴語抽出部
２１  特徴語登録部
３０  記憶部
３１ａ  表示制御プログラム
３２  文章記憶部
３３  特徴語記憶部
６０  文章
６１ａ，６１ｂ，６１ｃ  強調表示領域
１００  表示システム
【図１】
2019105751.tif 000003
【図２】
2019105751.tif 000004
【図３】
2019105751.tif 000005
【図４】
2019105751.tif 000006
【図５】
2019105751.tif 000007
【図６】
2019105751.tif 000008